(57)【要約】      （修正有）【課題】メンタルストレス強度を客観的且つ定量的に測定する方法の提供。【解決手段】ヒトの体表面、特に腋窩部に存在する、微生物や酵素の作用によってアポクリン臭の主要原因物質である３−メルカプトアルコール化合物に変化する物質及びそれらの誘導体から選ばれる１種以上を定量するメンタルストレス強度の測定方法。【選択図】なし【特許請求の範囲】
【請求項１】
ヒトの体表面に存在する、下記式(1)〜(6)のいずれかで表される物質及びそれらの誘導体から選ばれる１種以上を定量するメンタルストレス強度の測定方法。
【化１】
2007101344.tif 000010
〔式中、Ｒ1は水素原子又はメチル基を示し、Ｒ2は炭素数１乃至５のアルキル基を示し、Ｒ3は水素原子又はメチル基を示す。〕
【請求項２】
式(1)、式(3)及び式(4)で表される物質が、それぞれ、下記式(1a)、下記式(3a)及び下記式(4a)で表されるものである請求項１に記載のメンタルストレス強度の測定方法。
【化２】
2007101344.tif 000011
【請求項３】
式(2)、式(5)及び式(6)で表される物質が、それぞれ、下記式(2a)、下記式(5a)及び下記式(6a)で表されるものである請求項１に記載のメンタルストレス強度の測定方法。
【化３】
2007101344.tif 000012
【請求項４】
ヒトの体表面が、腋窩部である請求項１〜３のいずれかに記載のメンタルストレス強度の測定方法。
【発明の詳細な説明】
【技術分野】
【０００１】
本発明は、ヒトのメンタルストレス強度の測定方法に関する。
【背景技術】
【０００２】
現代はストレス社会と言われており、職場や学校、家庭などにおいて受けるメンタルストレスに関して強い関心が持たれている。特に、強いストレスや長期間にわたるストレス負荷によって、頭痛、不眠、胃潰瘍、脱毛、自律神経失調症等、心身の不調をきたすケースも多いため、ストレスの度合いやそれによる心身への影響等を気にする人が多い。
【０００３】
しかしながら、ストレスの感じ方やストレスに対する反応は人によって異なり、また、同じ人であっても、その時々で違ってくる。従って、ストレスをどの程度受けているのか、そしてストレスによる心身への影響がどの程度出ているのかということを客観的かつ定量的に評価できる技術が強く望まれている。
【０００４】
メンタルストレスを解消する方法としては、趣味に打ち込んで気分転換をはかる方法、十分な休養を取る方法、社会生活に支障をきたすほどの症状が見られる場合には、医師やカウンセラー等による治療を受ける方法等がある。従って、メンタルストレスを気にする人にとっては、前記に代表されるメンタルストレスを軽減する努力が現状において功を奏しているのかということが重要な関心事である。
【０００５】
また、メンタルストレスや抗ストレスに関する研究をしている人や、ストレスを受けた人に対するケアを行っている人にとっては、より効果の高い抗ストレス技術の研究開発を行う過程や安全で効果の高いストレスケア技術を開発する過程等において、更には、抗ストレス商品及び／又はストレス解消製品の使用やストレスケアのための診療等による効果を消費者や患者等に説明する場合において、メンタルストレスの変化の度合いを客観的かつ定量的に扱える手法の開発が望まれていた。
【０００６】
従来、メンタルストレスをどの程度受けているのかを知る方法としては、例えば、メンタルストレスと関連があると言われている生体内指標物質を測定する方法がある。具体的には、ストレスホルモンと呼ばれ、ストレスがあるとその濃度が高まる「コルチゾール」や、呼吸器や消化器から分泌される体液中に存在し、体の抵抗力が弱まるとその濃度が低下する「免疫グロブリンＡ（IgA）」を定量する方法等である。
【０００７】
上記の方法は、血液や唾液を採取して、その中に含まれている前記生体内指標物質を定量する方法であるが、血液を採取することは被験者にとって精神的及び肉体的苦痛を伴う。一方、唾液は比較的簡単に採取することができるが、「コルチゾール」などの生体内指標物質は通常、極微量しか含まれていない。それゆえ、しばしば定量すること自体が困難な場合もあり、また濃縮や精製等の煩雑な前処理操作も必要であった。
【０００８】
ところで、本発明者らは、ヒトの腋窩部に存在するニオイ物質に関する研究により、3-ヒドロキシ-3-メチルヘキサン酸〔下記式(5a)〕に代表されるβ-ヒドロキシ酸化合物〔下記式(5)〕、及び3-メルカプト-3-メチルヘキサン-1-オール〔下記式(2a)〕に代表される３位にチオール基を有するアルコール化合物〔下記式(2)、以下、これらの化合物を3-メルカプトアルコール化合物ともいう〕が、腋窩部に存在するアポクリン汗腺からの分泌物（アポクリン汗）由来のニオイ（以下、アポクリン臭とも呼ぶ）の主要原因物質であることを発見した（非特許文献１、２）。
【０００９】
また、非特許文献３には、わきの下に特徴的なニオイ成分として、わきの下の汗には、trans-3-メチル-2-ヘキセン酸〔下記式(6a)〕が含まれている旨の記載がある。
【００１０】
【化１】
2007101344.tif 000002
【００１１】
〔式中、Ｒ1は水素原子又はメチル基を示し、Ｒ2は炭素数１乃至５のアルキル基を示し、Ｒ3は水素原子又はメチル基を示す。〕
【００１２】
非特許文献４においては、腋窩部に分布するアポクリン汗腺からの分泌物中に下記式(3a)及び式(4a)で表される物質が含まれることが報告されている。
【００１３】
【化２】
2007101344.tif 000003
【００１４】
【非特許文献１】第46回 香料・テルペンおよび精油化学に関する討論会 国際精油シンポジウム(ISEO)合同大会 講演要旨集，124-126頁（平成14年10月18日）
【非特許文献２】日本味と匂学会誌，10巻，３号，807-810頁（2003年12月）
【非特許文献３】「味とにおいの分子認識」, 化学総説 No.40, 1999年, p.205-211
【非特許文献４】The Journal of Biological Chemistry, vol.278, No.8, p.5718-5727 (2003)
【発明の開示】
【発明が解決しようとする課題】
【００１５】
本発明の目的は、メンタルストレス強度を客観的且つ定量的に測定する方法を提供することである。
【課題を解決するための手段】
【００１６】
本発明者らは、式(1)で表される物質をヒトの腋窩部から新たに発見し、それらが微生物や酵素の作用などによってアポクリン臭の主要原因物質である3-メルカプトアルコール化合物に変化することを発見した。また本発明者らは、ヒトの体表面、特に腋窩部における下記式(1)〜(6)で表される物質の存在量が、メンタルストレスの強さと極めて強く連関していることを見出した。つまり、本発明者らは、下記式(1)〜(6)で表される物質がメンタルストレス強度を客観的かつ定量的に評価するための指標物質として好適であることを発見し、これらの知見に基づき、更に研究を発展させた結果、本発明を完成した。
【００１７】
【化３】
2007101344.tif 000004
【００１８】
〔式中、Ｒ1は水素原子又はメチル基を示し、Ｒ2は炭素数１乃至５のアルキル基を示し、Ｒ3は水素原子又はメチル基を示す。〕
【００１９】
すなわち本発明は、ヒトの体表面に存在する、下記式(1)〜(6)のいずれかで表される物質（以下、それぞれ物質(1)〜(6)ともいう）及びそれらの誘導体から選ばれる１種以上を定量するメンタルストレス強度の測定方法を提供するものである。
【発明の効果】
【００２０】
本発明によれば、物質(1)〜(6)又はそれらの誘導体から選ばれる少なくとも１種を指標にすることで、メンタルストレス（以下、単にストレスともいう）に関する客観性の高い測定が可能となり、また解析データを上記物質の存在量として数値化することで、メンタルストレス強度の定量を行うことができる。これにより、ストレスに対する予防効果又は解消効果が期待される抗ストレス商品やカウンセリング等の有効性を客観的かつ定量的に評価することができる。
【００２１】
例えば、ストレスを受けた後では、腋窩部における物質(1)〜(6)から選ばれる少なくとも１種の存在量が顕著に増加することから、物質(1)〜(6)及びそれらの誘導体から選ばれる少なくとも１種を定量することで、ストレスに対して改善効果が期待される商品やカウンセリング等の有効性を客観的かつ定量的に測定することができる。
【００２２】
更に、例えば、ストレスに対して改善効果が期待される行為を実施する前後において、腋窩部における物質(1)〜(6)及び／又はそれらの誘導体から選ばれる少なくとも１種を定量することによって、そのような行為の前後での上記物質の存在量を比較することができる。従って、上記行為がメンタルストレスを改善する効果を客観的かつ定量的に評価することができる。
【発明を実施するための最良の形態】
【００２３】
本発明にかかる物質(1)〜(6)には下記の特徴がある。
【００２４】
（イ）物質(1)、物質(3)及び物質(4)は、アポクリン汗に含まれており、ヒト人の腋窩部に存在する無臭の物質である。
【００２５】
（ロ）物質(1)、物質(3)及び物質(4)は、微生物や酵素の作用等によって、それぞれ、アポクリン臭の主要原因物質である物質(2)、物質(5)及び物質(6)に変化する。
【００２６】
（ハ）物質(1)、物質(3)及び物質(4)、並びにそれらの分解物である物質(2)、物質(5)及び物質(6)の存在量はアポクリン臭の強さと正比例する。
【００２７】
（ニ）メンタルストレス負荷がかかった後では、腋窩部における、物質(1)、物質(3)及び物質(4)、並びにそれらの分解物である物質(2)、物質(5)及び物質(6)の存在量が顕著に増加する。
【００２８】
物質(2)は、下記式(2a)〜(2e)で表される3-メルカプト-3-メチルヘキサン-1-オール、3-メルカプトヘキサン-1-オール、3-メルカプトペンタン-1-オール、3-メルカプト-2-メチルブタン-1-オール、3-メルカプト-2-メチルペンタン-1-オールに代表される、３位にチオール基を有するアルコール化合物である。これらはアポクリン臭によく似たニオイを有している。
【００２９】
【化４】
2007101344.tif 000005
【００３０】
ヒトの腋窩部には、物質(2a)〜(2e)だけでなく、これらに化学構造の類似した物質も存在していると推定され、物質(2)は、ヒトの腋窩部におけるアポクリン臭の主要原因物質であり、ヒトの腋窩部におけるその存在量は、アポクリン臭の強さと正比例する。特に物質(2a)は、物質(2b)〜(2e)の10倍以上の質量比で存在し、最も検出され易く、ヒトの腋窩部における最も主要なアポクリン臭原因物質である。
【００３１】
そして、本発明者らがヒトの腋窩部から新たに発見した、下記式(1a)で表される物質：2-アミノ-7-ヒドロキシ-5-メチル-5-プロピル-4-チアヘプタン酸は、前記の最も主要なアポクリン臭原因物質：3-メルカプト-3-メチルヘキサン-1-オール(2a)に変化する前段階の物質（前駆体ともいう）であり、微生物や酵素の作用などにより、物質(2a)に変化する。
【００３２】
【化５】
2007101344.tif 000006
【００３３】
前駆体(1a)自身はニオイのないものであり、この点で、硫黄様の生臭く動物的なニオイを有する3-メルカプト-3-メチルヘキサン-1-オール(2a)とは異なる。前駆体(1a)は、ヒトの腋窩部において最も存在量の多い3-メルカプトアルコール化合物である物質(2a)の骨格とα-アミノ酸の骨格とを有している。このことから、前駆体(1a)は、物質(2a)のチオール基と、セリン（又はシステイン）のヒドロキシ基（又はチオール基）とから水（又はＨ2Ｓ）が取れて生成した、ニオイ物質とα-アミノ酸との縮合体であると推定される。
【００３４】
本発明者らがヒトの腋窩部から発見した、物質(2b)〜(2e)も、ニオイ物質に変化する前段階では、下記式(1b)〜(1e)で表される前駆体として存在していると推定される。またこれらの前駆体が微生物の作用などにより物質(2b)〜(2e)に変化するものと推定される。
【００３５】
【化６】
2007101344.tif 000007
【００３６】
式(1)で表される物質の中でも、前駆体(1a)は、ヒトの腋窩部に比較的多く存在し、定量しやすいという点でメンタルストレス強度を測定するための物質として特に適している。
【００３７】
物質(1)と同様、ヒトの腋窩部には、物質(3a)、物質(4a)、物質(5a)及び物質(6a)だけでなく、これらに化学構造の類似した物質も包含する前記式(3)〜(6)で表される物質が存在していると推定される。
【００３８】
ヒトの腋窩部に存在する物質(1)、物質(3)及び物質(4)は、アミノ酸の誘導体であるので、pH条件によって、分子中のアミノ基は−ＮＨ2又は−ＮＨ3+、カルボキシ基は−ＣＯＯＨ又は−ＣＯＯ-の形で存在し得る。
【００３９】
また、式(1)、物質(3)及び物質(4)中のアミノ基は、生体の内外において、当該アミノ基における塩（例えば、塩酸塩）、又は前記アミノ基に、グリシン、アラニン、バリン、ロイシン、イソロイシン、プロリン、メチオニン、フェニルアラニン、トリプトファン、セリン、トレオニン、システイン、チロシン、アスパラギン、グルタミン、アスパラギン酸、グルタミン酸、ヒスチジン、リシン及びアルギニンから選ばれるα-アミノ酸、若しくはこれらの少なくとも１種類が２分子以上脱水縮合した原子団が、ペプチド結合した状態等で存在していると推定される。
【００４０】
同様に、式(1)、物質(3)及び物質(4)中のカルボキシ基は、生体の内外において、当該カルボキシ基における塩（例えば、金属塩）、又は前記カルボキシ基に前記α-アミノ酸若しくはそれらの少なくとも１種類が２分子以上脱水縮合した原子団が、ペプチド結合した状態で存在していると推定される。
【００４１】
すなわち、物質(1)、物質(3)及び物質(4)は、その構造に含まれるアミノ基及びカルボキシ基の部分において、塩を形成している状態、又はアミノ酸、ペプチド若しくはタンパク質と結合した状態で存在していると推定される。
【００４２】
従って、本発明においては、物質(1)、物質(3)及び物質(4)の誘導体、すなわち、アミノ基における塩（例えば、塩酸塩など）、カルボキシ基における塩（例えば、金属塩など）、又はアミノ基若しくはカルボキシ基に、前記α-アミノ酸若しくはそれらの少なくとも１種類が２分子以上脱水縮合した原子団がペプチド結合している誘導体（例えば、ジペプチド、トリペプチド、オリゴペプチド、ポリペプチド、タンパク質等）を定量することで、メンタルストレス強度を測定することもできる。
【００４３】
物質(2)、物質(5)及び物質(6)は、物質(1)、物質(3)及び物質(4)が微生物や酵素の作用等により分解されて生成したものであり、本発明者らの研究によると、メンタルストレス負荷がかかった後では、腋窩部における存在量が増加する。従って、本発明においては、物質(2)、物質(5)若しくは物質(6)又はそれらの誘導体を定量することで、メンタルストレス強度を測定することもできる。また、物質(1)、物質(3)若しくは物質(4)又はそれらの誘導体の定量に加えて、物質(2)、物質(5)若しくは物質(6)又はそれらの誘導体を定量することで、メンタルストレス強度を測定することもできる。すなわち、本発明においては、物質(1)〜(6)及びそれらの誘導体から選ばれる１種以上を定量することで、メンタルストレス強度を測定することができる。
【００４４】
本発明のメンタルストレス強度の測定法は、物質(1)〜(6)及びそれらの誘導体から選ばれる少なくとも１種を定量することにより実施されるが、特に、物質(1)、物質(3)及び物質(4)並びにそれらの誘導体から選ばれる１種以上を定量するのが好ましい。
【００４５】
〔メンタルストレス強度の測定〕
物質(1)〜(6)及び／又はそれらの誘導体を定量することにより、メンタルストレス強度を測定する具体的な方法について説明する。
【００４６】
本発明のメンタルストレス強度の測定方法は、ヒトの腋窩部における物質(1)〜(6)及び／又はそれらの誘導体の存在量を、様々な化学的、物理的、生物学的等の分析手法によって解析し、その解析結果に基づいてメンタルストレス強度を測定することができる。
【００４７】
すなわち、腋窩部から試料を採取し、それらの中に物質(1)〜(6)及び／又はそれらの誘導体の存在量を定量的に解析し、それらの結果に基づいて、メンタルストレス強度を測定することもできる。
【００４８】
腋窩部から試料を採取する方法としては、脱脂綿等の布帛によりそのまま腋窩部をこする方法、腋窩部に生理食塩水等を吹き付けた後、脱脂綿等の布帛により拭き取る方法、腋窩部に綿パッドを一定時間挟んでおく方法、腋窩部に当たる部分に綿パッドが縫い付けられた肌着やＴシャツを一定時間着用する方法などが挙げられ、これらの方法は、１つ又は２つ以上を組み合わせて適用することもできる。
【００４９】
本発明は、物質(1)〜(6)及び／又はそれらの誘導体を定量し易くするために、測定対象とする物質とそれ以外の物質との化学的諸性質の違い等を利用して、腋窩部から採取した試料に対して様々な精製・濃縮手段を講じることもできる。
【００５０】
例えば、物質(1) 、物質(3)及び物質(4)は、水に溶けやすく油に溶けにくい性質を有している。従って、水又は油への溶解度の差を利用して、他の油溶性物質と分離し、分析試料中の物質(1)、物質(3)又は物質(4)の濃度を高めることもできる。
【００５１】
詳しくは、前記の腋窩部に存在する物質を採取する方法によって採取した試料から皮脂由来のトリグリセリド、高級脂肪酸エステル等の油溶性物質を取り除くためには、採取した試料に対して、例えば、水に溶けにくく、油を溶かし易い、ヘキサン、ペンタン、ジクロロメタン、ジエチルエーテル等の有機溶媒を加えて良く混合して、試料中に含まれる油溶性物質を前記有機溶媒に溶解させた後、遠心分離等の手段を利用して水層と有機層とに分層し、試料から溶媒と共に油溶成分を取り除くことにより、物質(1)、 物質(3)及び物質(4)を定量し易くすることもできる。
【００５２】
本発明は、物質(1)〜(6)及び／又はそれらの誘導体を化学的、或いはその他の手法によって合成し、合成品を標準物質（スタンダード）として利用することもできる。
【００５３】
例えば、式(1)及び式(2)で表される物質は、下記反応式に従って合成することができる。
【００５４】
【化７】
2007101344.tif 000008
【００５５】
〔式中、Ｒ1、Ｒ2及びＲ3は、前記と同じ意味を示し、Ｒ4はアルキル基を示し、Ｒ5はベンジル基を示す。〕
【００５６】
すなわち、不飽和構造を有する脂肪酸エステル誘導体(a)を原料とし、誘導体(a)にベンジルメルカプタン等を付加導入して３位にチオエーテル構造を有する脂肪酸エステル誘導体(b)とし、誘導体(b)を水素化リチウムアルミニウム等の還元剤を用いて還元し、３位にチオエーテル構造を有するアルコール誘導体(c)とする。
【００５７】
引き続き、バーチ還元によりベンジル基を脱離させることで、物質(2)を合成することができる。そして、この3-メルカプトアルコール化合物と、アミノ基がtert-ブトキシカルボニル基（Boc基）で保護された3-クロロアラニンとを縮合させることで、チオエーテル構造を有するα-アミノ酸誘導体(d)とした後、酸（塩酸など）で処理することにより保護基を取り除くことによって、物質(1)を合成することができる。
【００５８】
物質(1)〜(5)は、１〜３個の不斉炭素原子を有しているので、それらに由来する異性体が存在し得るが、本発明においては、これらの物質の立体配座は特に限定されず、任意の割合で混合された合成品をそのまま利用することもできる。また、様々な分離精製手段を用いて各異性体を分離した後、それらのうちのいずれか一つを利用することもできるし、それらのうちの二つ以上が任意の割合で混合されたものを利用することもできる。
【００５９】
例えば、物質(1)、物質(3)及び物質(4)はヒトの腋窩部から発見された成分であり、ヒトの腋窩部から単離される物質(1)、物質(3)及び物質(4)については、α-アミノ酸骨格のα炭素の立体配置は常にL-配置である。しかしながら、物質(1)、物質(3)又は物質(4)を化学合成して、本発明にかかるメンタルストレス強度の測定に用いる場合には、その立体配座は特に限定されず、L-配置のアミノ酸だけでなく、D-配置のアミノ酸、或いはそれらが任意の割合で混合されたアミノ酸を原料として用いることもできる。例えば、前記の例示した物質(1)の合成法における、3-クロロアラニンとしては、L-3-クロロアラニン、D-3-クロロアラニン、DL-3-クロロアラニン、或いは、それらが任意の割合で混合された3-クロロアラニンを使用することもできる。
【００６０】
また、ヒト由来であり、アポクリン臭の主要原因物質である物質(2a)及び物質(5a)は、Ｓ体72質量％とＲ体28質量％とからなる光学活性物質であるが、物質(2)、或いは物質(5)を化学合成し、メンタルストレス強度の測定に用いる場合には、特に限定されず、遷移金属等の不斉触媒を利用した不斉合成技術により、Ｓ体或いはＲ体のみを選択的に合成し、どちらかのみを利用することもでき、またそれらを任意の割合で混合したものを利用することもできるまたＳ体50質量％とＲ体50質量％とからなるラセミ体として合成し、そのまま利用することもでき、結晶化法やクロマトグラフィー法に代表される物理的、化学的、或いは生物学的な光学分割技術によりＳ体とＲ体とを分離し、どちらか一方のみを使用することもでき、Ｓ体とＲ体とを任意の割合で混合したものを利用することもできる。
【００６１】
同様に、物質(1)、物質(3)又は物質(4)を化学合成する際には、原料として用いる物質(2)、物質(5)又は物質(6)の立体配座は特に限定されず特定の異性体のみを使用することもでき、複数の異性体とが任意の割合で混合されたものを使用することもできる。
【００６２】
本発明における、腋窩部から採取した試料の中に物質(1)〜(6)及び／又はそれらの誘導体の存在量を定性的及び／又は定量的に解析する方法は、特に限定されないが、例えば、クロマトグラフィー法による分離分析法、モノクロナール抗体等を利用する免疫化学的測定法（イムノアッセイとも呼ばれる）、更に検出段階においての高感度化を目的として、化学発光法、化学増幅法、電気化学的計測方法等を適用することもできる。
【００６３】
本発明において利用することができるクロマトグラフィー法としては、特に限定されないが、具体的には、液体クロマトグラフィー、ガスクロマトグラフィー、薄層クロマトグラフィー、電気泳動等を挙げることができる。
【００６４】
液体クロマトグラフィー法は、固定相と移動相への親和性の差により溶質を分離する方法であり、本発明においては、様々な分離機構（溶質と固定相との相互作用）を適用することもできる。例えば、吸着クロマトグラフィー、分配クロマトグラフィー、イオン交換クロマトグラフィー、サイズ排除クロマトグラフィー（ゲルろ過クロマトグラフィー、又はゲル浸透クロマトグラフィー）等を利用することもできる。
【００６５】
より詳しくは、例えば、吸着カラムクロマトグラフィーでは、溶質が固定相に物理的或いは化学的に吸着する際の吸着係数の違いによって分離を行うことができ、各成分がカラム内で分離されて各成分に固有の時間だけカラム内に保持された（保持時間という）後、カラム外に溶出されて検出器を通過する。また、サイズ排除クロマトグラフィーでは、立体網目構造の多孔性固定相中に溶質分子がその大小に応じて排除又は浸透される程度の差によって分離を行うことができる。
【００６６】
そして、合成品及びヒト由来の試料から得られるクロマトグラムの保持時間及び検出器から得られる各クロマトピークのスペクトル情報を参考にして、腋窩部から採取した物質の中に物質(1)〜(6)及び／又はそれらの誘導体が含まれているかどうかを定性的に解析することもできる。
【００６７】
例えば、クロマトグラフィー法における検出器として質量分析計（MS）が単独又は２つ以上連結されたものを用いる場合には、カラム上で分離された各成分について、各成分の分子量及び分子構造に由来するマススペクトル情報（フラグメンテーションパターン、開裂パターンともいう）を得ることができる。マススペクトル情報は、各物質に固有のものであることから、それらを参考にして、腋窩部から採取した物質の中に物質(1)〜(6)及び／又はそれらの誘導体が含まれているかどうかを定性的に解析することができる。
【００６８】
また、クロマトグラフィー法における検出器として可視・紫外吸収分光計（Vis/UV）、赤外分光計（IR）、ラマン分光計、核磁気共鳴分光計（NMR）から選ばれる検出器が単独又は２つ以上連結されたものを用いる場合には、カラム上で分離された各成分について、各成分の分子構造に由来する可視・紫外吸収（Vis/UV）スペクトル、赤外（IR）スペクトル、ラマンスペクトル、核磁気共鳴分光計（NMR）スペクトルを得ることができる。前記のスペクトル情報は、各物質に固有のものであることから、それを参考にして、腋窩部から採取した物質の中に物質(1)〜(6)及び／又はそれらの誘導体が含まれているかどうかを解析することができる。
【００６９】
クロマトグラフィー法による分離分析装置においては、クロマトグラムにおけるピークの大きさ（面積）はそのピークに由来する物質の濃度と比例する。従って、腋窩部から採取した物質の中に物質(1)〜(6)及び／又はそれらの誘導体が含まれている場合には、それらに由来するクロマトピークの面積を参考にして、物質(1)〜(6)及び／又はそれらの誘導体の含有量を解析することもできる。
【００７０】
例えば、物質(1)〜(6)の合成品を標準物質（スタンダード）として用いる場合には、この標準物質を用いて様々な濃度領域における検量線を作成し、この検量線を使用して、採取した試料中に含まれる物質(1)〜(6)の量を換算することもできる。
【００７１】
すなわち、クロマトグラフィー法による分離分析装置においては、検出器から得られるスペクトル情報を参考にして腋窩部から採取した試料の中に物質(1)〜(6)及び／又はそれらの誘導体が含まれているかどうかを定性的に解析することができるだけでなく、クロマトグラムにおけるピークの大きさ（面積）を参考にして、それらの存在量を定量的に解析することもできる。そして、それらの総合的な解析結果に基づいて被検体の制汗性能を評価することもできる。
【００７２】
クロマトグラフィー法による分離分析装置を利用して、腋窩部から採取した物質の中に物質(1)〜(6)及び／又はそれらの誘導体が含まれているかどうかを定性的に解析する場合、並びに、それらの存在量を定量的に解析する場合には、物質(1)〜(6)及び／又はそれらの誘導体の分析における選択性及び検出感度の向上を目的として、物質(1)〜(6)及び／又はそれらの誘導体に対して、特に官能基の部分に化学修飾を施し、この化学修飾体を定量することによってメンタルストレスを測定することもできる。また、物質(1)〜(6)及び／又はそれらの誘導体と、その化学修飾体との両方を定量することによってメンタルストレスを測定することもできる。
【００７３】
クロマトグラフィー法において、物質(1)〜(6)及び／又はそれらの誘導体に対して化学修飾を施し、これを定量する方法としては、特に限定されないが、例えば、腋窩部から採取した物質と化学修飾を施すための試薬（以下、化学修飾試薬ともいう）とを反応させ、化学修飾を施した後、化学修飾された物質(1)〜(6)及び／又はそれらの誘導体をクロマトグラフィー法により分離し、検出することもできる（以下、「プレカラム修飾法」ともいう）。また、腋窩部から採取した物質に含まれる物質(1)〜(6)及び／又はそれらの誘導体をクロマトグラフィー法により分離した後、化学修飾を施すための試薬を添加し、化学修飾された物質(1)〜(6)及び／又はそれらの誘導体を検出することもできる（以下、ポストカラム修飾法ともいう）。更に、プレカラム修飾法とポストカラム修飾法とを組み合わせて適用することもできる。
【００７４】
物質(1)〜(6)及び／又はそれらの誘導体に対して化学修飾を施す方法としては、特に限定されないが、例えば、液体クロマトグラフィー法においては、物質(1)〜(6)及び／又はそれらの誘導体の分子構造に含まれる官能基（具体的には、アミノ基、カルボキシ基、ヒドロキシ基、カルボニル基、チオ基、アミド基など）の少なくとも一つに対して、検出感度を向上させる発色団（可視・紫外吸収領域に吸収を持つ化合物や蛍光を発する形質を有する化合物など）を導入する方法、化学発光、電気化学活性などを利用する方法等を挙げることもできる。ガスクロマトグラフィー法においては、与えられた温度内で気化可能な化合物に誘導する方法等を挙げることもできる。
【００７５】
官能基に対して発色団を導入する方法としては、特に限定されないが、各種化学反応を利用することができる。より具体的には、例えば、物質(1)のアミノ基、カルボキシ基、ヒドロキシ基に、可視及び紫外線吸収を持つ発色団、又は蛍光を発する性質を有する発色団が導入された代表的な例としては、下記式(7)で表される物質を例示することもできる。
【００７６】
【化８】
2007101344.tif 000009
【００７７】
〔式中、Ｒ1、Ｒ2及びＲ3は前記と同じ意味を示し、Ｘ1は、式(1)で表される物質のアミノ基に発色団が導入された代表例であり、Ｘ2は、式(1)で表される物質のカルボキシ基に発色団が導入された代表例であり、Ｘ3は、式(1)で表される物質のヒドロキシ基に発色団が導入された代表例である。〕
【００７８】
同様に、物質(2)〜(6)のアミノ基、カルボキシ基、ヒドロキシ基に、可視及び紫外線吸収を持つ発色団、又は蛍光を発する性質を有する発色団を導入することもでき、例えば、物質(2)〜(6)のアミノ基を、スルホンアミド、カルボアミド、チオ尿素、アミン、或いは、その他の形に変換することもでき、物質(2)〜(6)のカルボキシ基を、エステル、イソ尿素、尿素、或いは、その他の形に変換することもでき、物質(2)〜(6)のヒドロキシ基を、エーテル、ウレタン、エステル、或いは、その他の形に変換することもできる。
【００７９】
物質(1)〜(6)及び／又はそれらの誘導体の分子構造に含まれる官能基に発色団を導入する際には、特に限定されないが、例えば、ニトロフェノール、ジニトロフェノール、アゾベンゼン、クマリン、2,1,3-ベンゾオキサジアゾール、ナフタレン、アクリジン、フルオレセイン及びその類似体、或いは、その他の発色団を利用することもでき、また、前記の官能基は、前記式(7)中に例示した、Ｘ1〜Ｘ3の置換基と同じ又はそれらに類似した形に変換することもできる。
【００８０】
各種化学反応を利用して、物質(1)〜(6)及び／又はそれらの誘導体に発色団を導入する際には、市販の化学修飾試薬（誘導体化試薬とも呼ばれる）を利用することもできるし、必要に応じて、物質(1)〜(6)に適用できる化学修飾試薬を適宜新たに合成し、利用することもできる。以下、本発明において利用可能な、代表的な市販の化学修飾試薬について例示する。
【００８１】
アミノ基に発色団（可視及び／又は紫外吸収）を導入するために利用可能な試薬としては、例えば、(a)塩化アシル、(b)アリルスルホニルクロリド、(c)ニトロベンゼン、(d)イソシアナート或いはイソチオシアナート等を挙げることができる。
【００８２】
具体的には、(a)塩化アシルとしては、p-メトキシベンゾイルクロリド、m-トルオイルクロリド、p-ニトロベンゾイルクロリド、塩化ベンゾイル等が挙げられる。(b)アリルスルホニルクロリドとしては、トルエンスルホニルクロライド（TSCl）、ベンゼンスルホニルクロリド（BSCl）、ジメチルアミノアゾベンゼンスルホニルクロリド（DABSCl）等が挙げられる。(c)ニトロベンゼンとしては、1-フルオロ-2,4-ジニトロベンゼン（FDNB）、トリニトロベンゼンスルホン酸（TNBS）、4-フルオロ-3-ニトロベンゾトリフルオリド（FNBT）等が挙げられる。(d)イソシアナート或いはイソチオシアナートとしては、フェニルイソシアナート（PIC）、ナフチルイソシアナート（NIC）、フェニルイソチオシアナート（PITC）、ナフチルイソチオシアナート（NITC）、4-N,N'-ジメチルアミノアゾベンゼン-4'-イソチオシアナート、p-フェニルベンゾイルイソチオシアナート等が挙げられる。
【００８３】
更に、p-ニトロベンジルブロミド（p-NBBr）、ダンシルクロリド（Dns-Cl）、o-フタルジアルデヒド（OPA）、ニンヒドリン、1,2,3-ペリナフチンダントリオン（Peri）等を挙げることもできる。
【００８４】
アミノ基に発色団（蛍光）を導入するために利用可能な試薬としては、例えば、(a)塩化スルホニル、(b)塩化カルボニル、(c)ハロゲノニトロベンゾフラン、(d)イソシアナート或いはイソチオシアナート、(e)シッフ塩基生成試薬及びその関連試薬等を挙げることができる。
【００８５】
具体的には、(a)塩化スルホニルとしては、5-ジメチルアミノナフタレン-1-スルホニルクロリド（Dns-Cl）、5-ジ-n-ブチルアミノナフタレン-1-スルホニルクロリド（BNS-Cl）、6-N-メチルアニリノナフタレン-2-スルホニルクロリド（Mns-Cl）、2-p-クロロスルホフェニル-3-フェニリンドン（Dis-Cl）、1,2-ナフタレンベンズイミダゾール-6-スルホニルクロリド、8-メトキシキノリン-5-スルホニルクロリド等が挙げられる。(b)塩化カルボニルとしては、9-フルオレニルクロロギ酸メチル（FMOC）、2-ナフチルクロロギ酸（NCF）、2-ダンシルクロロギ酸エチル、(R,S)-2-(p-クロロフェニル)-α-メチル-5-ベンゾキサゾールアセチルクロリド等が挙げられる。(c)ハロゲノニトロベンゾフランとしては、4-クロロ-7-ニトロ-2,1,3-ベンゾオキサジアゾール(4-クロロ-7-ニトロベンゾフラザン；NBD-Cl）、4-フルオロ-7-ニトロベンゾフラザン（NBD-F）等が挙げられる。(d)イソシアナート或いはイソチオシアナートとしては、9-イソチオシアナートアクリジン、フルオレセインイソチオシアナート、4-ジメチルアミノ-1-ナフチルイソチオシアナート、4-(ベンジルオキシカルボニルアミノメチル)フェニルイソチオシアナート、4-(ジメチルアミノナフタレン-1-スルホニルアミノ)フェニルイソチオシアナート等が挙げられる。(e)シッフ塩基生成試薬及びその関連試薬としては、ピリドキサールとピリドキサールリン酸、2-フルオレンカルボキシアルデヒド、1-ピレンカルボキシアルデヒド、o-フタルジアルデヒド／アルキルチオール（OPA/R-SH）試薬、2-アセチルベンズアルデヒド／エタンチオール（OAB）、ω-ホルミル-o-ヒドロキシアセトフェノン、ベンゾ-γ-ピロン、ベンゾイン（2-ヒドロキシ-2-フェニルアセトフェノン）等が挙げられる。
【００８６】
更に、4-フェニルスピロ[フラン-2(3H),1'-フタラン]-3,3'-ジオン（フルオレサミン）、2-メトキシ-2,4-ジフェニル-3(2H)-フラノン（MDPF）、N-スクシニミジル-2-ナフトキシアセテート、N-スクシニミジル-1-ナフチルカルバメート、5-(4,6-ジクロロ-1,3,5-トリアジン-2-イル)アミノフルオレセイン（DTAF）等を挙げることもできる。
【００８７】
カルボキシ基に発色団（可視及び／又は紫外吸収）を導入するために利用可能な試薬としては、例えば、(a)フェナシルブロミド、ナフタシルブロミド、及びそれらの類縁化合物、(b)N-メチルフタルイミド誘導体等が挙げられる。
【００８８】
具体的には、(a)フェナシルブロミド、ナフタシルブロミド及び類縁化合物としては、p-ブロモフェナシルブロミド、フェナシルブロミド、ナフタシルブロミド、p-ニトロフェナシルブロミド、1-(4-ヒドロキシフェニル)-2-ブロモエタノン（4-HBE）等が挙げられる。(b)N-メチルフタルイミド誘導体としては、N-クロロメチルフタルイミド（CIMPI）、N-クロロメチル-4-ニトロフタルイミド（CIMNPI）、N-クロロメチルイサチン（CIMIS）等が挙げられる。
【００８９】
また、O-p-ニトロベンジル-N,N'-ジイソプロピルイソ尿素（p-NBDI）、2-ニトロフェニルヒドラジン、o-フェニレンジアミン、二クロム酸ピリジニウム、2-メチルキノキサノール誘導体、イミダゾール等を挙げることもできる。
【００９０】
カルボキシ基に発色団（蛍光）を導入するために利用可能な試薬としては、例えば、蛍光性クマリン誘導体等を挙げることができる。
【００９１】
具体的には、蛍光性クマリン誘導体としては、4-ブロモメチル-7-メトキシクマリン（Br-Mmc）、4-ブロモメチル-6,7-ジメトキシクマリン（Br-Mdmc）、4-ブロモメチル-7-アセトキシクマリン（Br-Mac）、4-ジアゾメチル-7-メトキシクマリン、N,N'-ジシクロヘキシル-O-(7-メトキシクマリン-4-イル)メチルイソ尿素、N,N'-ジイソプロピル-O-(7-メトキシクマリン-4-イル）メチルイソ尿素、9-ブロモメチルアクリジン、3-ブロモメチル-6,7-ジメトキシ-1-メチル-2(1H)-キノキサリン、ナフタシルブロミド(2-ブロモアセトナフトン)、p-(アントロイルオキシ)フェナシルブロミド(パナシルブロミド)、1-ブロモアセチルピレン、9-クロロメチルアントラセン、9-アントリルジアゾメタン（ADAM）等が挙げられる。
【００９２】
また、物質(1)、(3)〜(6)及び／又はそれらの誘導体のカルボキシ基を塩化オキサリル、N-エチル-N'-(3-ジメチルアミノプロピル)カルボジイミド、N,N'-カルボニルジイミダゾール、2-ブロモ-1-メチルピリジニウムヨージドなどの試薬によって活性化した後、アルコールやアミンと反応させて蛍光ラベル化する方法等を挙げることもできる。
【００９３】
例えば、物質(1)、(3)〜(6)及び／又はそれらの誘導体に塩化オキサリルを作用して酸クロリドとし、これにトリエチルアミンの存在下、9-アミノフェナントレン、又は1-ナフチルアミンと反応させると、強い蛍光を発するアミド化合物に誘導することができる。
【００９４】
また、活性化したカルボン酸の蛍光ラベル化に適当なアルコールとしては、例えば、9-ヒドロキシメチルアントラセン、2-ダンシルアミノエタノール、4-ヒドロキシメチル-7-メトキシクマリン（HO-Mmc）が挙げられ、蛍光性のエステル化合物に誘導することができる。
【００９５】
ヒドロキシ基に発色団（可視及び／又は紫外吸収）又は発色団を含む原子団を導入するために利用可能な試薬としては、例えば、塩化アシル、フェニルイソシアナート（PIC）、フェニルジメチルシリルクロリド等を挙げることができる。
【００９６】
具体的には、塩化アシルとしては、塩化ベンゾイル、p-メトキシベンゾイルクロリド、p-ニトロベンゾイルクロリド、3,5-ジニトロベンゾイルクロリド、アントラセン-9-カルボニルクロリド等が挙げられる。
【００９７】
ヒドロキシ基に発色団（蛍光）を導入するために利用可能な試薬としては、例えば、7-メトキシクマリン-3-カルボニルアジド（3-MCCA）、7-メトキシクマリン-4-カルボニルアジド（4-MCCA）、7-(クロロカルボニルメトキシ)-4-メチルクマリン、4-ジメチルアミノ-1-ナフトイルニトリル、1-アントロイルニトリル、9-アントロイルニトリル、2-メチル-1,1'-ビナフタレン-2'-カルボニルニトリル、ナフタレンホウ酸、フェナントレンホウ酸等が挙げられる。
【００９８】
チオール基に発色団（可視及び／又は紫外吸収、蛍光）を導入するために利用可能な試薬としては、例えば、N-(9-アクリディニィル)マレイミド（NAM）、4-クロロ-7-スルフォベンゾフラザン アンモニウム塩（SBDCl）、4-フロロ-7-スルフォベンゾフラザン アンモニウム塩（SBD-F）、4-フロロ-7-スルファモイルベンゾフラザン（ABD-F）、N-[4-(5,6―メチレンジオキシ-2-ベンゾフラニィル)フェニル]マレイミド（MBPM）、N-[4-(6-ジメチルアミノ-2-ベンゾフラニィル)フェニル]マレイミド（DBPM）、N-[p-(2-ベンズイミダゾリル)フェニル]マレイミド、モノブロモビマン、5,5-ジチオビス(2-ニトロ安息香酸）、フェナンジンメトサルフェート、o-フタルアルデヒド／2-アミノエタノール等が挙げられる。
【００９９】
アミド基に発色団（可視及び／又は紫外吸収、蛍光）を導入するために利用可能な化学的修飾方法としては、特に限定されないが、例えば、ヒドロキサム酸−鉄キレートによる呈色やアゾ色素生成によるN-アリールアミドの呈色等を挙げることができる。
【０１００】
物質(1)〜(6)及び／又はそれらの誘導体をガスクロマトグラフィー及び／又はガスクロマトグラフィー−質量分析計分析計において定量する際には、主に揮発性の付与、検出感度の向上、分解能の向上等を目的として、物質(1)〜(6)及び／又はそれらの誘導体の分子構造に含まれる官能基の少なくとも一つに対して、様々な化学反応を基づく化学修飾を施し、この化学修飾体を定量することもできる。
【０１０１】
具体的には、例えば、物質(1)、物質(3)〜(6)のカルボキシ基をエステル化した後、物質(1)、物質(3)〜(6)のアミノ基をアシル化し、揮発性の誘導体であるN-アシルアルキルエステルにすることで、物質(1)、物質(3)〜(6)に揮発性を付与することができる。
【０１０２】
より具体的には、例えば、前記のN-アシルアルキルエステルにおけるアルキルエステルとしては、メチルエステル、エチルエステル、プロピルエステル、n-及びイソブチルエステル、n-及びイソアミルエステル等を挙げることができる。また、メチルエステルを合成する方法としては、例えば、ジアゾメタン又は三フッ化ホウ素とメタノールを用いる方法、トリメチルシリルジアゾメタンを利用する方法等を挙げることができる。また、前記のN-アシルアルキルエステルにおけるアシル基としては、アセチル基、トリフルオロアセチル基、ペンタフルオロプロピオニル基、ヘプタフルオロブチリル基等を挙げることができる。アシル基を導入する方法としては、例えば、無水トリフロロ酢酸、トリフロロ酢酸イミダゾール等を利用する方法等を挙げることができる。
【０１０３】
また、例えば、物質(1)、物質(3)〜(6)のカルボキシ基及び／又はアミノ基をトリメチルシリル化し、揮発性の誘導体であるN-トリメチルシリル体にすることで、物質(1)、物質(3)〜物質(6)に揮発性を付与することもできる。
【０１０４】
より具体的には、トリメチルシリル化するための試薬としては、例えば、N-トリメチルシリルイミダゾール（TMSI）、N,O-ビス(トリメチルシリル)トリフルオロアセトアミド（BSTFA）、N,O-ビス(トリメチルシリル)アセトアミド（BSA）、N-メチル-N-トリメチルシリル-トリフルオロアセトアミド（MSTFA）、N-トリメチルシリルジメチルアミン（TMSDMA）、N-メチル-N-トリメチルシリルアセトアミド（MTMSA)、ヘキサメチルジシラザン（HMDS）等を利用することができる。
【０１０５】
更に、例えば、メタノール、エタノール、或いはブタノールと塩酸とを利用して、式(1)で表される物質のカルボキシ基をエステル化した後、物質(1)のアミノ基をトリメチルシリル化し、揮発性の誘導体である、N-トリメチルシリルアミノ酸エステルにすることで、物質(1)に揮発性を付与することもできる。
【０１０６】
免疫化学的測定法（イムノアッセイとも呼ばれる）とは、動物などの生体系で行われている分子認識の一つである免疫反応、すなわち、「抗体」によって、抗原と呼ばれる特定の物質を高感度高選択的に捕捉し、抗原の働きを抑制する機能（抗原−抗体反応）を利用して、抗原の量を化学的に測定する方法である。本発明は、物質(1)〜(6)及び／又はそれらの誘導体を高感度高選択的に定量するために上記の免疫化学的測定法を適用することもできる。
【０１０７】
物質(1)〜(6)の抗体を作製する際には、物質(1)〜(6)に対してスペーサー分子等を導入し、より高分子量の状態にしてから抗体を作製することもできる。
【０１０８】
前記の免疫化学的測定法を利用して、腋窩部から採取した試料中の物質(1)〜(6)及び／又はそれらの誘導体の存在量を定量する方法は、特に限定されないが、より高感度で定量するために、物質(1)〜(6)を標識化したものを用いることもできる。この標識化には、放射性同位元素を用いることもでき（ラジオイムノアッセイ）、酵素を用いることもでき（エンザイムイムノアッセイ）、蛍光色素や化学発光試薬などを用いることもできる。
【０１０９】
本発明は、以上の例示したような様々な方法によって物質(1)〜(6)及び／又はそれらの誘導体を定量することができ、発色団として可視領域に吸収のある原子団を有する試薬（以下、呈色試薬ともいう）を利用する場合には、発現された色を可視・紫外分光光度計で定量してもよく、或いは肉眼で検出してもよい。
【実施例】
【０１１０】
健康な米国人女性26名（18〜63歳）を被験者とした。被験者には試験開始の10日前から制汗デオドラント剤及び香水の使用を禁じ、入浴時には香料未配合の石鹸を使用するよう指導した。試験期間中は、試験施設にて監督下、朝１回、腋の洗浄を行った。腋洗浄の後は、無臭のＴシャツを着用し、通常通りの生活をしてもらい、10時間後に官能評価及び汗の拭き取り試験を行った。２日目には官能評価の直前にメンタルストレス試験を実施した。
【０１１１】
＜試験１日目＞
AM6:00〜 腋洗浄
PM4:30〜 官能評価（ｉ）→汗拭き取り
＜試験２日目＞
AM6:00〜 腋洗浄
PM4:30〜 官能評価（ｉ）→ストレス付与→官能評価（ii）→汗拭き取り
【０１１２】
次に各試験内容について説明する。
(1)メンタルストレス試験
２日目の官能評価の前に10分間実施した。本試験中、専門の試験官が常識クイズや算術計算、スピーチなどを被験者に次々に要求し緊張を連続的にあおった。各被験者を観察したところ、ほとんどの人が、苦笑いしたり、泣き出したりし、精神的に非常にプレッシャーがかかった状態であることが確認された。
【０１１３】
(2)アポクリン臭強度の定量評価
被験者の両腋窩部を３人の専門パネラーが嗅ぎ、アポクリン臭の強さを下記基準で官能評価した。得られた評価データ（３人の評価者×左右＝６データ）の平均値を各被験者のアポクリン臭強度とした。
【０１１４】
＜評価基準＞
０：匂わない。
１：かすかに匂う。
２：弱く匂う。
３：匂う。
４：やや強く匂う。
５：かなり強く匂う。
【０１１５】
初日と２日目の結果を比較したところ、官能評価（ｉ）の結果に大きな違いはなかった。一方、２日目の官能評価（ii）の結果には、これらと大きな違いがあり、７割の被験者がストレス試験を行わなかった初日よりニオイが強くなっていることがわかった。従って、本発明にかかる物質(2)、物質(5)、物質(6)が主要な原因物質である、ヒトの腋窩部におけるアポクリン臭の強度は、メンタルストレスによって顕著に増強されることがわかった（図１）。
【０１１６】
(3)腋汗のサンプリング
腋の下をガーゼで拭き取ることで各被験者の汗を採取した。具体的には、蒸留水１mLを染み込ませた脱脂ガーゼ（６×９cm）で各被験者の両腋窩部を拭き（各５回／片腋）、分析までの間、-20℃で保存した。
【０１１７】
(4)腋臭前駆体の定量分析
脱脂ガーゼは室温で解凍後、８等分にカットした。次に、蒸留水（10mL×２回）で抽出し、ヘキサン洗浄（10mL×２回）した後、凍結乾燥した。蒸留水２mLを加えてろ過（0.45μm）したものをLC-MS/MS分析装置に供し、腋臭前駆体を定量した。左右それぞれの腋窩部サンプルから定量された両データの平均値を各被験者の腋臭前駆体量とした。
【０１１８】
＜分析条件＞
HPLCシステム： LC-10AD VP（島津製作所）
分析カラム：Inertsil ODS-3（2.1mmID×250mm）
カラム温度：40℃
移動相：１％酢酸水溶液：１％酢酸メタノール溶液＝50：50（v/v）
流速：0.2mL/min
試料保存温度：４℃
試料注入量：10μL
質量分析装置（MS/MS）：API2000（Applied Biosystems / MDS Sciex）
【０１１９】
ストレス試験を行わなかった初日よりニオイが顕著に強くなっていた８人について、2-アミノ-7-ヒドロキシ-5-メチル-5-プロピル-4-チアヘプタン酸(1a)量、Nα-3-ヒドロキシ-3-メチルヘキサノイル-グルタミン(3a)量、Nα-3-メチル-2-ヘキセノイル-グルタミン(4a)量の変化を追跡したところ、全ての被験者について前駆体量の増加が認められ、中には前駆体量が３倍近くになっている被験者もいることがわかった。腋窩部における腋臭前駆体、2-アミノ-7-ヒドロキシ-5-メチル-5-プロピル-4-チアヘプタン酸(1a)、Nα-3-ヒドロキシ-3-メチルヘキサノイル-グルタミン(3a)、Nα-3-メチル-2-ヘキセノイル-グルタミン(4a)の存在量は、メンタルストレスによって顕著に増加することがわかった（図２〜図４）。
【図面の簡単な説明】
【０１２０】
【図１】メンタルストレス付与によるアポクリン臭の強さの変化をグラフ化したものである。
【０１２１】
【図２】メンタルストレス付与による2-アミノ-7-ヒドロキシ-5-メチル-5-プロピル-4-チアヘプタン酸(1a)量の変化をグラフ化したものである。
【０１２２】
【図３】メンタルストレス付与によるNα-3-ヒドロキシ-3-メチルヘキサノイル-グルタミン(3a)量の変化をグラフ化したものである。
【０１２３】
【図４】メンタルストレス付与によるNα-3-メチル-2-ヘキセノイル-グルタミン(4a)量の変化をグラフ化したものである。
【図１】
2007101344.tif 000013
【図２】
2007101344.tif 000014
【図３】
2007101344.tif 000015
【図４】
2007101344.tif 000016